(57)【要約】【課題】運用規定に従いつつ機能の追加を行える画像処理装置、画像処理システム及び画像処理プログラムを提供する。【解決手段】携帯通信装置が画像処理装置に実行させる追加機能情報を画像処理装置に送信すると、画像処理装置では、実行許可判断部３０が画像処理装置の運用規定等に基づいて上記追加機能の実行の可否を判断する。追加機能の実行が許可される場合には、起動要求部３２が、上記追加機能情報に基づいて携帯通信装置に対して起動要求信号を送信し、追加機能の起動を要求する。携帯通信装置では、画像処理装置に追加機能を実行させるための追加機能実行用情報を生成し、画像処理装置に送信する。画像処理装置では、上記追加機能実行用情報を受信すると、処理結果反映部３４が画像処理装置側の関連する機能を起動し、上記追加機能実行用情報を使用した処理を実行させる。【選択図】図３
2010081358.tif 000002
【特許請求の範囲】
【請求項１】
携帯通信装置から、画像処理装置に実行させる追加機能を表す追加機能情報を取得する追加機能情報取得手段と、
前記追加機能の実行が許可されているか否かを判断する実行許可判断手段と、
前記追加機能の実行が許可されている場合に、前記追加機能情報に基づいて携帯通信装置に対して前記追加機能を実行するための情報を生成する手段の起動を要求する起動要求手段と、
携帯通信装置から、前記起動要求に対する処理結果を取得する処理結果取得手段と、
を備えることを特徴とする画像処理装置。
【請求項２】
請求項１記載の画像処理装置において、前記実行許可判断手段が実行可と判断した追加機能は、表示画面に利用者が選択可能に表示されることを特徴とする画像処理装置。
【請求項３】
請求項１または請求項２に記載の画像処理装置が、携帯通信装置と携帯通信装置が有する追加機能情報とに基づいて前記携帯通信装置の認証を行う認証手段を備えることを特徴とする画像処理装置。
【請求項４】
携帯通信装置から、画像処理装置に実行させる追加機能を表す追加機能情報を取得する追加機能情報取得手段と、
前記追加機能の実行が許可されているか否かを判断する実行許可判断手段と、
前記追加機能の実行が許可されている場合に、前記追加機能情報に基づいて携帯通信装置に対して前記追加機能を実行するための情報を生成する手段の起動を要求する起動要求手段と、
携帯通信装置から、前記起動要求に対する処理結果を取得する処理結果取得手段と、
を備える画像処理装置と、
前記画像処理装置に前記追加機能情報を送信する追加機能情報送信手段と、
前記画像処理装置から前記追加機能の起動要求を受け付け、前記追加機能を実行するための情報を生成する実行用情報生成手段と、
前記実行用情報生成手段の処理結果を前記画像処理装置に送信する処理結果送信手段と、
を備える携帯通信装置と、
を有することを特徴とする画像処理システム。
【請求項５】
コンピュータを、
携帯通信装置から、画像処理装置に実行させる追加機能を表す追加機能情報を取得する追加機能情報取得手段、
前記追加機能の実行が許可されているか否かを判断する実行許可判断手段、
前記追加機能の実行が許可されている場合に、前記追加機能情報に基づいて携帯通信装置に対して前記追加機能を実行するための情報を生成する手段の起動を要求する起動要求手段、
携帯通信装置から、前記起動要求に対する処理結果を取得する処理結果取得手段、
として機能させることを特徴とする画像処理プログラム。
【発明の詳細な説明】
【技術分野】
【０００１】
本発明は、画像処理装置、画像処理システム及び画像処理プログラムに関する。
【背景技術】
【０００２】
近年、スキャナ、印刷装置、複写機、ファクシミリ等の機能を有する複合機あるいは複写機等に機能を追加し、利便性を向上させる技術が提案されている。例えば、下記特許文献１には、携帯電話機を複写機に接続してファクシミリ機能を付加する技術が開示されている。
【０００３】
【特許文献１】特開２００３−３３８８８８号公報
【発明の開示】
【発明が解決しようとする課題】
【０００４】
本発明の目的は、運用規定に従いつつ機能の追加を行える画像処理装置、画像処理システム及び画像処理プログラムを提供することにある。
【課題を解決するための手段】
【０００５】
上記目的を達成するために、請求項１記載の画像処理装置の発明は、携帯通信装置から、画像処理装置に実行させる追加機能を表す追加機能情報を取得する追加機能情報取得手段と、前記追加機能の実行が許可されているか否かを判断する実行許可判断手段と、前記追加機能の実行が許可されている場合に、前記追加機能情報に基づいて携帯通信装置に対して前記追加機能を実行するための情報を生成する手段の起動を要求する起動要求手段と、携帯通信装置から、前記起動要求に対する処理結果を取得する処理結果取得手段と、を備えることを特徴とする。
【０００６】
請求項２記載の発明は、請求項１記載の発明において、前記実行許可判断手段が実行可と判断した追加機能は、表示画面に利用者が選択可能に表示されることを特徴とする。
【０００７】
請求項３記載の発明は、請求項１または請求項２に記載の発明が、携帯通信装置と携帯通信装置が有する追加機能情報とに基づいて前記携帯通信装置の認証を行う認証手段を備えることを特徴とする。
【０００８】
請求項４記載の画像処理システムの発明は、携帯通信装置から、画像処理装置に実行させる追加機能を表す追加機能情報を取得する追加機能情報取得手段と、前記追加機能の実行が許可されているか否かを判断する実行許可判断手段と、前記追加機能の実行が許可されている場合に、前記追加機能情報に基づいて携帯通信装置に対して前記追加機能を実行するための情報を生成する手段の起動を要求する起動要求手段と、携帯通信装置から、前記起動要求に対する処理結果を取得する処理結果取得手段と、を備える画像処理装置と、前記画像処理装置に前記追加機能情報を送信する追加機能情報送信手段と、前記画像処理装置から前記追加機能の起動要求を受け付け、前記追加機能を実行するための情報を生成する実行用情報生成手段と、前記実行用情報生成手段の処理結果を前記画像処理装置に送信する処理結果送信手段と、を備える携帯通信装置と、を有することを特徴とする。
【０００９】
請求項５記載の画像処理プログラムの発明は、コンピュータを、携帯通信装置から、画像処理装置に実行させる追加機能を表す追加機能情報を取得する追加機能情報取得手段、前記追加機能の実行が許可されているか否かを判断する実行許可判断手段、前記追加機能の実行が許可されている場合に、前記追加機能情報に基づいて携帯通信装置に対して前記追加機能を実行するための情報を生成する手段の起動を要求する起動要求手段、携帯通信装置から、前記起動要求に対する処理結果を取得する処理結果取得手段、として機能させることを特徴とする。
【発明の効果】
【００１０】
請求項１及び請求項５記載の発明によれば、画像処理装置の運用規定に従いつつ機能の追加を行うことができる。
【００１１】
請求項２記載の発明によれば、実行可能な追加機能を利用者が容易に確認し、選択することができる。
【００１２】
請求項３記載の発明によれば、本構成を有しない場合に比べて、なりすましの防止を強化することができる。
【００１３】
請求項４記載の発明によれば、画像処理装置の運用規定に従いつつ、携帯通信装置と連携して画像処理装置の機能の追加を行うことができる。
【発明を実施するための最良の形態】
【００１４】
以下、本発明を実施するための最良の形態（以下、実施形態という）を、図面に従って説明する。
【００１５】
図１には、実施形態にかかる画像処理システムの構成例が示される。図１において、画像処理システムは、携帯通信装置１００及び画像処理装置１０２を含んで構成されている。
【００１６】
携帯通信装置１００は、携帯電話装置等により構成され、画像処理装置１０２に追加機能を実行させるために、追加機能を表す追加機能情報及び追加機能の実行に必要な追加機能実行用情報等を、ネットワークその他の通信手段１０４を介して送信する。追加機能情報及び追加機能実行用情報については後述する。また、画像処理装置１０２は、複写機、印刷装置、ファクシミリ装置、あるいはスキャナ、印刷装置、複写機、ファクシミリ等の機能を有する複合機等により構成され、携帯通信装置１００からの指示に基づいて追加機能を実行する。この際、画像処理装置１０２は、予め定められた運用規定等に基づいて、上記追加機能を実行できるか否かを判断する。
【００１７】
図２には、実施形態にかかる画像処理装置１０２のハードウェア構成の例が示される。図２において、画像形成装置は、中央処理装置（例えばマイクロプロセッサ等のＣＰＵを用いるとよい）１０、ランダムアクセスメモリ（ＲＡＭ）１２、読み出し専用メモリ（ＲＯＭ）１４、通信装置１６、画像取得装置１８、印刷装置２０、ファクシミリ装置２２、ハードディスク装置（ＨＤＤ）２４及び表示・入力装置２６を含んで構成されている。また、これらの構成要素は、バス２７により互いに接続されている。なお、通信装置１６は、インターフェース１６ａを介して、画像取得装置１８はインターフェース１８ａを介して、印刷装置２０は、インターフェース２０ａを介して、ファクシミリ装置２２は、インターフェース２２ａを介して、ハードディスク装置２４は、インターフェース２４ａを介して、表示・入力装置２６は、インターフェース２６ａを介してそれぞれバス２７に接続されている。
【００１８】
ＣＰＵ１０は、ＲＡＭ１２またはＲＯＭ１４に格納されている制御プログラムに基づいて、後述する各部の動作を制御する。ＲＡＭ１２は主としてＣＰＵ１０の作業領域として機能し、ＲＯＭ１４にはＢＩＯＳ等の制御プログラムその他のＣＰＵ１０が使用するデータが格納されている。
【００１９】
また、通信装置１６は、例えばＵＳＢ（ユニバーサルシリアルバス）ポート、ネットワークポート、非接触型ＩＣカードとの非接触通信が可能なインターフェースその他の適宜な通信インターフェースにより構成され、ＣＰＵ１０がネットワーク等の通信手段１０４を介して外部の装置とデータをやり取りするために使用する。
【００２０】
また、画像取得装置１８は、スキャナ等により構成され、紙その他の媒体上の画像を読み取って画像データを出力する装置である。
【００２１】
また、印刷装置２０は、消耗品を使用して画像を形成するプリンタエンジン等を含んで構成され、携帯通信装置１００からの指示情報に基づいて印刷用データを印刷する。プリンタエンジンとしては、例えば電子写真プロセスによって画像を形成するレーザープリンタエンジンが用いられる。また、インクおよび用紙を使用して画像を形成するインクジェットプリンタエンジンを用いても良い。
【００２２】
また、ファクシミリ装置２２は、通信装置１６、画像取得装置１８等により取得した画像データを、電話回線等を使用して送受信する装置である。
【００２３】
また、ハードディスク装置２４は、後述する処理に必要となる種々のデータを記憶する。なお、ハードディスク装置２４の代わりにＥＥＰＲＯＭ等の不揮発性メモリを使用してもよい。
【００２４】
表示・入力装置２６は、タッチパネル等により構成され、画像処理装置１０２の動作指示用の入力画面を表示し、使用者が動作指示を入力するために使用する。
【００２５】
図３には、実施形態にかかる画像処理装置１０２の機能ブロック図が示される。図３において、画像処理装置１０２は、追加機能情報取得部２８、実行許可判断部３０、起動要求部３２、処理結果反映部３４、認証部３６及び通信部３８を含んで構成されている。これらの機能は例えばＣＰＵ１０とＣＰＵ１０の処理動作を制御するプログラムとにより実現される。
【００２６】
追加機能情報取得部２８は、携帯通信装置１００から、後述する通信部３８を介して画像処理装置１０２に実行させる追加機能を表す追加機能情報を取得する。ここで、画像処理装置１０２に実行させる追加機能とは、画像処理装置１０２の通常の機能を拡張する機能、すなわち通常は実行されず、携帯通信装置１００から後述する追加機能実行用情報を取得したときに実行される機能である。例えば画像処理装置１０２上で動作する汎用ブラウザを使用して文書管理（文書の共有化や印刷出力等）を行うための文書管理機能を拡張し、画像処理装置１０２の外部から携帯通信装置１００により指定された文書に関する情報を追加機能実行用情報として受け取り、当該文書を処理する機能等がある。ただし、追加機能は、これには限定されず、画像処理装置１０２上で動作する機能に追加できるものであればよい。また、上記追加機能情報には、携帯通信装置１００に対して追加機能の起動を要求するための起動用情報が含まれる。この起動用情報には、後述する追加機能実行用情報としてどのような種類の情報が必要かを示す起動方法、起動対象となる追加機能の種類、バージョン等が含まれる。
【００２７】
実行許可判断部３０は、画像処理装置１０２が上記追加機能を実行することを許可されているか否かを判断する。例えば、予め決定されていた画像処理装置１０２の運用規定に基づいて実行の可否を判断することができる。
【００２８】
起動要求部３２は、画像処理装置１０２が上記追加機能の実行を許可されている場合に、追加機能情報取得部２８が取得した追加機能情報に基づいて携帯通信装置１００に対して追加機能の起動を要求する。追加機能の起動の要求がなされると、携帯通信装置１００は予め定められた処理を実行し、例えば画像処理装置１０２が追加機能の実行に必要なプラグインプログラムやライブラリの送信、その他の画像処理装置１０２に追加機能を実行させるために必要な追加機能実行用情報の送信等を行う。
【００２９】
処理結果反映部３４は、起動要求部３２から追加機能の起動を要求された携帯通信装置１００が送信した、起動要求に対する上記処理結果すなわち追加機能実行用情報を取得する。次に、処理結果反映部３４は、画像処理装置１０２側の関連する機能を起動し、上記追加機能実行用情報を使用した処理を実行させて、画像処理装置１０２の動作に追加機能実行用情報を反映させる。
【００３０】
認証部３６は、上記追加機能情報を送信してきた携帯通信装置１００の認証処理を実行する。この認証処理は、例えば携帯通信装置１００の識別情報と上記追加機能情報との組み合わせにより行うのが好適である。この場合、画像処理装置１０２は、上記組み合わせに関する情報を予めハードディスク装置２４等の記憶装置に格納しておいてもよい。
【００３１】
通信部３８は、通信装置１６を介して携帯通信装置１００との間で認証情報、追加機能情報、追加機能の起動要求信号、追加機能実行用情報等のやり取りを行う。これらの情報のやり取りは、例えばインターネットのようなネットワーク、電話回線あるいは非接触型ＩＣカードや赤外線通信等を使用した非接触通信等を介して行うことができる。
【００３２】
図４には、実施形態にかかる携帯通信装置１００の機能ブロック図が示される。図４において、携帯通信装置１００は、通信処理部４０、追加機能情報送信部４２、起動部４４、実行用情報生成部４６及び処理結果送信部４８を含んで構成されている。
【００３３】
通信処理部４０は、基地局との間で電波による無線通信を行い、携帯電話としての機能を実現するとともに、インターネットのようなネットワークあるいは非接触型ＩＣカードや赤外線通信等による非接触通信等を介して画像処理装置１０２との間で認証情報、追加機能情報、追加機能の起動要求、追加機能実行用情報等のやり取りを行う。
【００３４】
追加機能情報送信部４２は、画像処理装置１０２に対し、上記追加機能情報を通信処理部４０を介して送信する。
【００３５】
起動部４４は、画像処理装置１０２から上記起動要求を受け付け、実行用情報生成部４６を起動する。
【００３６】
実行用情報生成部４６は、起動部４４により起動され、予め定められた処理を実行して、画像処理装置１０２に追加機能を実行させるための上記追加機能実行用情報を生成する。
【００３７】
処理結果送信部４８は、実行用情報生成部４６が生成した追加機能実行用情報を、通信処理部４０を介して画像処理装置１０２に送信する。
【００３８】
図５には、実施形態にかかる画像処理システムの動作例のフローが示される。また、図６（ａ），（ｂ），（ｃ），（ｄ）には、携帯通信装置１００が画像処理装置１０２に追加機能を実行させる場合の具体例が示される。
【００３９】
図５において、携帯通信装置１００の通信処理部４０が画像処理装置１０２に通信手段１０４を介して認証情報を送信すると（Ｓ１０１）、画像処理装置１０２の認証部３６が携帯通信装置１００の認証処理を実行する（Ｓ１０２）。ここで、上記認証情報としては、使用者名やパスワードとしてもよいし、携帯通信装置１００の識別情報と追加機能情報との組み合わせとしてもよい。
【００４０】
Ｓ１０２において、認証が成功しなかった場合には（Ｓ１０３）、認証部３６が通信部３８を介して携帯通信装置１００に認証失敗の通知を行い（Ｓ１０４）、処理を終了する。一方、Ｓ１０２において、認証が成功した場合には（Ｓ１０３）、認証部３６が携帯通信装置１００に認証許可通知を送信する（Ｓ１０５）。
【００４１】
携帯通信装置１００では、通信処理部４０が上記認証許可通知を受信すると、追加機能情報送信部４２が通信処理部４０を介して画像処理装置１０２に追加機能情報を送信する（Ｓ１０６）。追加機能情報は１つに限らず、複数であってもよい。
【００４２】
画像処理装置１０２では、通信部３８が追加機能情報を受信すると、実行許可判断部３０が画像処理装置１０２の運用規定等に基づいて追加機能の実行の可否を判断する（Ｓ１０７）。運用規定の確認処理については、後述する図７において説明する。Ｓ１０７において、追加機能の実行が許可されないと判断した場合には（Ｓ１０８）、実行許可判断部３０が通信部３８を介して携帯通信装置１００に実行不許可の通知を行い（Ｓ１０９）、処理を終了する。一方、Ｓ１０７において、追加機能の実行が許可されると判断した場合には（Ｓ１０８）、実行許可判断部３０が表示・入力装置２６に実行が許可された追加機能を表示させる（Ｓ１１０）。
【００４３】
図６（ａ）には、画像処理装置１０２の表示・入力装置２６に、実行が許可された追加機能が表示された画面例が示される。図６（ａ）では、６個の追加機能を表す押しボタン画像が、矩形の枠αに囲まれて表示されている。なお、実行が許可された追加機能を表す押しボタン画像は、枠αに限らず、ハイライト等により表示しても良い。本実施形態では、実行が許可された追加機能として、図示しないネットワーク上にある文書管理サーバとの連携機能を表すボタンを押した場合を例として説明する。
【００４４】
図５において、上記表示された押しボタン画像を使用者が押し、ある追加機能を選択すると（Ｓ１１１）、起動要求部３２が、追加機能情報取得部２８が取得した追加機能情報に基づいて携帯通信装置１００に対して起動要求信号を送信し、追加機能の起動を要求する（Ｓ１１２）。
【００４５】
携帯通信装置１００では、通信処理部４０が上記起動要求信号を受信すると、起動部４４により実行用情報生成部４６が起動され、予め定められた処理を実行して、画像処理装置１０２に追加機能を実行させるための追加機能実行用情報を生成する（Ｓ１１３）。生成した追加機能実行用情報は、処理結果送信部４８が通信処理部４０を介して画像処理装置１０２に送信する（Ｓ１１４）。
【００４６】
図６（ｂ），（ｃ）には、携帯通信装置１００の表示画面に表示された入力用画面の例が示される。この入力用画面は、実行用情報生成部４６により表示され、追加機能実行用情報を生成するために必要な情報を利用者が入力するために使用する。図６（ｂ）において、入力用画面には、上記文書管理サーバの使用権限を表す情報を入力するためのアカウント欄と、上記文書管理サーバ上にあって処理対象である文書の格納場所を表すＵＲＬ（Uniform Resource Locator）を入力するためのＵＲＬ欄と、上記文書管理サーバ上にあって処理対象である文書の電子データファイル名を入力するためのファイル選択欄とが表示されている。また、図６（ｃ）は、上記各欄に必要な情報を入力した場合の例である。実行用情報生成部４６は、図６（ｃ）に示された入力内容に基づいて、文書管理サーバ連携機能が処理対象である文書を図示しないネットワーク上の文書管理サーバから取得するために必要な情報を追加機能実行用情報として生成する。また、処理結果送信部４８は、この追加機能実行用情報を、起動要求信号の応答として画像処理装置１０２に送信する。
【００４７】
図５において、画像処理装置１０２では、通信部３８が上記追加機能実行用情報を受信すると、処理結果反映部３４が画像処理装置１０２側の関連する機能を起動し、上記追加機能実行用情報を使用した処理を実行させる（Ｓ１１５）。
【００４８】
図６（ｄ）には、画像処理装置１０２の表示・入力装置２６に表示された、文書管理サーバをブラウザで起動した画面の例が示される。画像処理装置１０２では、この文書管理サーバ連携機能が処理結果反映部３４により起動され、携帯通信装置１００から受け取った上記追加機能実行用情報に基づいて、汎用ブラウザを介して図示しないネットワーク上の上記文書管理サーバから対象文書を取得し、例えば印刷装置２０により印刷出力する。これにより、文書管理サーバ連携機能が、画像処理装置１０２の外部からの指示に基づいて文書情報の処理を行うという機能が追加されたことになる。
【００４９】
図７には、実施形態にかかる画像処理装置１０２における運用規定の確認処理のフローが示される。図７において、実行許可判断部３０が通信部３８を介して携帯通信装置１００から追加機能情報を取得すると（Ｓ２０１）、追加機能情報を解析し（Ｓ２０２）、画像処理装置１０２の運用規定に予め定められた項目に基づいて追加機能の実行の可否を判断する。
【００５０】
実行許可判断部３０は、まず追加機能情報により表される追加機能が画像処理装置１０２で実行が許可されているか否かを判断する（Ｓ２０３）。実行が禁止されている機能を排除するためである。次に、実行許可判断部３０は、上記追加機能のバージョンが実行を許可されたバージョンであるか否かを判断する（Ｓ２０４）。例えばあるバージョンより新しいか否か等により実行の可否を判断する。さらに、実行許可判断部３０は、上記追加機能に使用される通信方法が、使用可能か否かを判断する（Ｓ２０５）。ここで、通信方法は、例えばインターネットの使用の可否、暗号化の要否等に基づいて使用可能か否かを判断する。
【００５１】
以上のＳ２０３からＳ２０５においていずれも実行可及び使用可である場合に、当該追加機能の実行を許可し、図５のＳ１１０のステップに移行する。一方、Ｓ２０３からＳ２０５のいずれかにおいて実行不可または使用不可である場合には、図５のＳ１０９のステップに移行し、実行不許可通知を行う。
【００５２】
なお、追加機能の実行の可否の判断項目は、上記Ｓ２０３からＳ２０５に記載されたものに限定されない。画像処理装置１０２を運用する際のセキュリティその他の要請により適宜決定することができる。
【００５３】
ここで、上述した図５及び図７の各ステップを実行するためのプログラムは、記録媒体に格納することも可能であり、また、そのプログラムを通信手段によって提供しても良い。その場合、例えば、上記説明したプログラムについて、「プログラムを記録したコンピュータ読み取り可能な記録媒体」の発明として捉えても良い。
【図面の簡単な説明】
【００５４】
【図１】実施形態にかかる画像処理システムの構成例を示す図である。
【図２】実施形態にかかる画像処理装置のハードウェア構成の例を示す図である。
【図３】実施形態にかかる画像処理装置の機能ブロック図である。
【図４】実施形態にかかる携帯通信装置の機能ブロック図である。
【図５】実施形態にかかる画像処理システムの動作例のフロー図である。
【図６】画像処理装置の表示・入力装置に、実行が許可された追加機能が表示された画面例を示す図である。
【図７】実施形態にかかる画像処理装置における運用規定の確認処理のフロー図である。
【符号の説明】
【００５５】
１０  ＣＰＵ、１２  ＲＡＭ、１４  ＲＯＭ、１６  通信装置、１８  画像取得装置、２０  印刷装置、２２  ファクシミリ装置、２４  ハードディスク装置、２６  表示・入力装置、２７  バス、２８  追加機能情報取得部、３０  実行許可判断部、３２  起動要求部、３４  処理結果反映部、３６  認証部、３８  通信部、４０  通信処理部、４２  追加機能情報送信部、４４  起動部、４６  実行用情報生成部、４８  処理結果送信部、１００  携帯通信装置、１０２  画像処理装置、１０４  通信手段。
【図１】
2010081358.tif 000003
【図２】
2010081358.tif 000004
【図３】
2010081358.tif 000005
【図４】
2010081358.tif 000006
【図５】
2010081358.tif 000007
【図６】
2010081358.tif 000008
【図７】
2010081358.tif 000009